(57)【要約】【課題】撮像素子の冷却機能を持たないデジタル一眼レフカメラで天体写真を撮影する場合に、熱によるノイズが画面内に写り込むことを防止できるようにする。【解決手段】被写体像を光電変換する撮像素子７と、撮像素子の前面に設けられるシャッタであって、先幕を走行させることによりシャッタを開いた状態とし後幕を走行させることによりシャッタを閉じた状態とするとともに、電磁石により後幕を走行しない状態に保持可能に構成されたシャッタ５と、撮像素子から出力される画像信号を表示する表示装置と、被写体像をリアルタイムに表示装置に表示するリアルタイム表示動作を行なわせるために、シャッタを、先幕を走行させた後に電磁石により後幕を走行しない状態に保持するバルブ状態とするように制御すると共に、バルブ状態を予め決められた時間以上継続しないように制御する制御装置とを具備する。【選択図】      図１
2006033705.tif 000002
【特許請求の範囲】
【請求項１】
被写体像を光電変換する撮像素子と、
該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、
前記撮像素子から出力される画像信号を表示する表示装置と、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、該バルブ状態を予め決められた時間以上継続しないように制御する制御手段と、
を具備することを特徴とする撮像装置。
【請求項２】
被写体像を光電変換する撮像素子と、
該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、
該シャッタの温度を検出する温度検出手段と、
前記撮像素子から出力される画像信号を表示する表示装置と、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記バルブ状態を中止させるように制御する制御手段と、
を具備することを特徴とする撮像装置。
【請求項３】
被写体像を光電変換する撮像素子と、
該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、
該シャッタの温度を検出する温度検出手段と、
前記撮像素子から出力される画像信号を表示する表示装置と、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記バルブ状態を中止させ且つ一定時間禁止するように制御する制御手段と、
を具備することを特徴とする撮像装置。
【請求項４】
被写体像を光電変換する撮像素子と、
該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、
該シャッタの温度を検出する温度検出手段と、
前記撮像素子から出力される画像信号を表示する表示装置と、
撮影者に警告を発する警告手段と、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記警告手段により警告を発するように制御する制御手段と、
を具備することを特徴とする撮像装置。
【請求項５】
被写体像を光電変換する撮像素子と、
該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、
該シャッタの温度を検出する温度検出手段と、
前記撮像素子から出力される画像信号を表示する表示装置と、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記撮像素子による撮影動作を禁止するように制御する制御手段と、
を具備することを特徴とする撮像装置。
【請求項６】
被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、
該バルブ状態を予め決められた時間以上継続しないようにする工程と、
を具備することを特徴とする撮像装置の制御方法。
【請求項７】
被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、
前記シャッタの温度が所定の基準値を越えた場合に、前記バルブ状態を中止させる工程と、
を具備することを特徴とする撮像装置の制御方法。
【請求項８】
被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、
前記シャッタの温度が所定の基準値を越えた場合に、前記バルブ状態を中止させ且つ一定時間禁止する工程と、
を具備することを特徴とする撮像装置の制御方法。
【請求項９】
被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、
前記シャッタの温度が所定の基準値を越えた場合に、警告を発する工程と、
を具備することを特徴とする撮像装置の制御方法。
【請求項１０】
被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、
被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、
前記シャッタの温度が所定の基準値を越えた場合に、前記撮像素子による撮影動作を禁止する工程と、
を具備することを特徴とする撮像装置の制御方法。
【請求項１１】
請求項６乃至１０のいずれか１項に記載の制御方法をコンピュータに実行させることを特徴とするプログラム。
【請求項１２】
請求項１１に記載のプログラムをコンピュータ読み取り可能に記憶したことを特徴とする記憶媒体。
【発明の詳細な説明】
【技術分野】
【０００１】
本発明はデジタルカメラ等の撮像装置におけるノイズ抑制技術に関するものである。
【背景技術】
【０００２】
デジタル一眼レフカメラにおいては、通常の撮影では、その光学ファインダー像のクリアーさから、光学ファインダーを使用するほうが背面の液晶を使用するよりもピントの確認等はしやすい。ところが、近年、デジタル一眼レフカメラを天体写真に使用する例が増えてきており、この場合、被写体が暗く光学ファインダーではピントの確認等ができないことが多々ある。また、要求されるピント精度も高いため、撮像素子によって取りこんだ画像を用いてピント確認をできるようにすることへの要求が高まってきた。
【０００３】
デジタル一眼レフカメラで背面の表示装置に現在の画像を表示するためには、ミラーをアップし、シャッタをバルブ状態として、レンズを通過した光を常に撮像素子に取り込める状態としなければならない。つまり、ピント確認の間はずっとバルブ状態を継続しなければならないこととなる。
【０００４】
ここで、現在主流のシャッタは、シャッタの先幕（先羽根）と後幕（後羽根）をバネにより走行させるように構成されており、先幕と後幕の走行開始指令が発せられるまで、電磁石により先幕と後幕を前記バネの力に抗して保持しておき、先幕と後幕の走行開始指令が発せられるのに応じて、電磁石の通電を停止して保持を解除し、先幕と後幕を走行させるようになされている。すなわち、シャッタをバルブ状態に保持するためには、先幕を走行させてシャッタを開いた後、シャッタが閉じないように後幕を走行しない状態に保持する必要があり、後幕を保持する電磁石に通電をし続ける必要がある。このように電磁石に通電をし続けると、電磁石の温度は相当な温度まで上昇してしまう。
【０００５】
ところで、前述のような天体写真を撮影する場合、撮像素子でノイズ（点傷等）が発生すると、その点傷（スターノイズとも言う）がまるでそこに星が存在しているかのごとく画面内に写り込み、天体写真に重大な影響を与える場合がある。そして、前述のようなシャッタの電磁石の温度上昇は、そのシャッタのすぐ背面にある撮像素子の温度上昇を招き、ノイズ発生の原因となる。そのため、天体写真の撮影では、一般被写体よりもはるかに熱に対して気を使うのが常識となり、撮像素子を冷却する機能を搭載したカメラを使用することは常識となっている。
【特許文献１】特開２００４−１４０４２９号公報
【発明の開示】
【発明が解決しようとする課題】
【０００６】
ところが、一般のデジタル一眼レフカメラでは撮像素子を冷却する機能を搭載することは困難であり、ピントの確認の間中シャッタをバルブ状態に保つことは、ノイズを発生させ、天体写真に致命的な影響を与える可能性が高かった。そのため、天体写真の撮影という特別な目的のためには、撮像素子を冷却する機能を搭載した特別なカメラを用意する必要があった。
【０００７】
従って、本発明は上述した課題に鑑みてなされたものであり、その目的は、撮像素子の冷却機能を持たないデジタル一眼レフカメラで天体写真を撮影する場合に、熱によるノイズが画面内に写り込むことを防止できるようにすることである。
【課題を解決するための手段】
【０００８】
上述した課題を解決し、目的を達成するために、本発明に係わる撮像装置は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置と、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、該バルブ状態を予め決められた時間以上継続しないように制御する制御手段と、を具備することを特徴とする。
【０００９】
また、本発明に係わる撮像装置は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、該シャッタの温度を検出する温度検出手段と、前記撮像素子から出力される画像信号を表示する表示装置と、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記バルブ状態を中止させるように制御する制御手段と、を具備することを特徴とする。
【００１０】
また、本発明に係わる撮像装置は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、該シャッタの温度を検出する温度検出手段と、前記撮像素子から出力される画像信号を表示する表示装置と、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記バルブ状態を中止させ且つ一定時間禁止するように制御する制御手段と、を具備することを特徴とする。
【００１１】
また、本発明に係わる撮像装置は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、該シャッタの温度を検出する温度検出手段と、前記撮像素子から出力される画像信号を表示する表示装置と、撮影者に警告を発する警告手段と、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記警告手段により警告を発するように制御する制御手段と、を具備することを特徴とする。
【００１２】
また、本発明に係わる撮像装置は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、該シャッタの温度を検出する温度検出手段と、前記撮像素子から出力される画像信号を表示する表示装置と、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とするように制御すると共に、前記温度検出手段により前記シャッタの温度が所定の基準値を越えたことが検出された場合に、前記撮像素子による撮影動作を禁止するように制御する制御手段と、を具備することを特徴とする。
【００１３】
また、本発明に係わる撮像装置の制御方法は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、該バルブ状態を予め決められた時間以上継続しないようにする工程と、を具備することを特徴とする。
【００１４】
また、本発明に係わる撮像装置の制御方法は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、前記シャッタの温度が所定の基準値を越えた場合に、前記バルブ状態を中止させる工程と、を具備することを特徴とする。
【００１５】
また、本発明に係わる撮像装置の制御方法は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、前記シャッタの温度が所定の基準値を越えた場合に、前記バルブ状態を中止させ且つ一定時間禁止する工程と、を具備することを特徴とする。
【００１６】
また、本発明に係わる撮像装置の制御方法は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、前記シャッタの温度が所定の基準値を越えた場合に、警告を発する工程と、を具備することを特徴とする。
【００１７】
また、本発明に係わる撮像装置の制御方法は、被写体像を光電変換する撮像素子と、該撮像素子の前面に設けられるシャッタであって、該シャッタの先幕を走行させることにより前記シャッタを開いた状態とし後幕を走行させることにより前記シャッタを閉じた状態とするとともに、電磁石により前記後幕を走行しない状態に保持可能に構成されたシャッタと、前記撮像素子から出力される画像信号を表示する表示装置とを備える撮像装置を制御する方法であって、被写体像をリアルタイムに前記表示装置に表示するリアルタイム表示動作を行なわせるために、前記シャッタを、該シャッタの前記先幕を走行させた後に前記電磁石により前記後幕を走行しない状態に保持するバルブ状態とする工程と、前記シャッタの温度が所定の基準値を越えた場合に、前記撮像素子による撮影動作を禁止する工程と、を具備することを特徴とする。
【００１８】
また、本発明に係わるプログラムは、上記の制御方法をコンピュータに実行させることを特徴とする。
【００１９】
また、本発明に係わる記憶媒体は、上記のプログラムをコンピュータ読み取り可能に記憶したことを特徴とする。
【発明の効果】
【００２０】
本発明によれば、撮像素子の冷却機能を持たないデジタル一眼レフカメラで天体写真を撮影する場合に、熱によるノイズが画面内に写り込むことを防止することが可能となる。
【発明を実施するための最良の形態】
【００２１】
以下、本発明の好適な実施形態について、図面を参照して詳細に説明する。
【００２２】
（第１の実施形態）
図１は本発明の第１の実施形態に係わるデジタルカメラ（デジタル一眼レフカメラ）の側断面図である。
【００２３】
図１において、１はデジタルカメラ、２は撮影レンズからの光線の大部分をファインダーに反射すると共に、一部をＡＦ（オートフォーカス）のために透過させるハーフミラーからなるメインミラーで、撮影光束から退避可能に回動自在に配置されている。３はメインミラー２からの透過光をＡＦ（オートフォーカス）ユニット４に反射するサブミラー、４はサブミラー３で反射された撮影光束から被写体のピント位置を検出するＡＦユニット、５はフォーカルプレンシャッタからなるシャッタ、６は撮影光束が撮像素子７に入る前に複屈折させるローパスフィルター、７はレンズからの撮影光束を取り込み光電変換する撮像素子、８は撮像素子７で光電変換された電気信号を受け取る回路基板、９はメインミラー２により反射された撮影光束を受け取るピント板、１０はピント板９に投影された撮影光束をファインダーに導くペンタプリズム、１１，１２はペンタプリズム１０を透過した光束を撮影者の目に結像させるファインダーレンズ、１３はペンタプリズム１０を透過したピント板９での被写体像の拡散光を受け取り測光センサー１４に導く測光レンズ、１４は被写体の明るさを測定する測光センサー、１５はデジタルカメラに撮影レンズを固定するマウント、１６はマウント１５に固定され、被写体光束を撮像素子７やピント板９に結像させるための撮影レンズ、２０はシャッタ５の温度を検出するための温度センサである。
【００２４】
図２は第１の実施形態のデジタルカメラの回路ブロック図である。
【００２５】
図２において、４１は撮像素子７で光電変換された被写体像の電気信号を画像処理する画像処理回路、４２は画像処理回路４１で画像処理された画像信号を記録する画像メモリー、４３はデジタルカメラ１の動作開始を指示するレリーズスイッチ、４４は撮像素子７や画像処理装置４１の動作タイミングを制御するタイミング制御部、４５はメインミラー２やサブミラー３の動きを制御するミラー駆動部、４６はシャッタ５の動作を制御するシャッタ制御部、４７はデジタルカメラ１全体の動作を制御するカメラ制御部、４８は画像処理された被写体像を最終的に記録する外部メモリー、４９はデジタルカメラ１の背面に設けられた液晶表示パネル等からなる背面表示装置である。
【００２６】
図３は、第１の実施形態のデジタルカメラに用いられるシャッタ５の正面図である。
【００２７】
図３において、５１は撮影光束を通過させるアパーチャー５１ａを有するシャッタ地板、５２はシャッタ５のチャージレバー、５３はシャッタ５の先幕（先羽根）を駆動する先幕駆動レバー、５４は先幕駆動レバー５３に固定されたアマチャー、５５はアマチャー５４を先幕駆動レバー５３に固定するアマチャー軸、５６はアマチャー軸５５と先幕駆動レバー５３の間に存在し衝撃を吸収する吸収ゴム、５７はアマチャー５４を電磁的に保持するヨーク、５８はヨーク５７に電磁力を発生させるコイル、５９はコイル５８を保持するボビン、６１はシャッタ５の後幕（後羽根）を駆動する後幕駆動レバー、６２は後幕駆動レバー６１に固定されるアマチャー、６３はアマチャー６２を後幕駆動レバー６１に固定するアマチャー軸、６４はアマチャー軸６３と後幕駆動レバー６１の間に存在し衝撃を吸収する吸収ゴム、６５はアマチャー６２を電磁的に保持するヨーク、６６はヨーク６５に電磁力を発生させるコイル、６７はコイル６６を保持するボビンである。
【００２８】
図４は第１の実施形態のデジタルカメラのシャッタの羽根を示す図である。
【００２９】
図４において、１０１はシャッタ５の先幕を構成する先羽根群を保持する先幕アームで、先幕駆動レバー５３の足部５３ａと係合し、先幕駆動レバー５３と連動して回転中心１０１ａを中心に回動する。１０２は先羽根群を保持するとともに、先幕アーム１０１と連動し、回転中心１０２ａを中心に回動する先幕従動アームである。１０３，１０４，１０５，１０６は先幕アーム１０１と先幕従動アーム１０２に保持され連動して動作する先羽根で、先幕（先羽根群）１５０を構成する。
【００３０】
１１１はシャッタ５の後幕を構成する後羽根群を保持する後幕アームで、後幕駆動レバー６１の足部６１ａと係合し、後幕駆動レバー６１と連動して回転中心１１１ａを中心に回動する。１１２は後羽根群を保持するとともに、後幕アーム１１１と連動し、回転中心１１２ａを中心に回動する後幕従動アームである。１１３，１１４，１１５，１１６は後幕アーム１１１と後幕従動アーム１１２に保持され連動して動作する後羽根で、後幕（後羽群）１６０を構成する。
【００３１】
図５は第１の実施形態のデジタルカメラの動作を示すフローチャートである。図５を参照して、上記のように構成されるデジタルカメラの動作について説明する。
【００３２】
本実施形態のデジタルカメラは、まず撮影者が図示しない電源スイッチＳＷをＯＮすることにより起動される（ステップＳ１）。
【００３３】
このとき、本実施形態のデジタルカメラは図１、図３、図４に示す状態にあり、メインミラー２はまだファインダー観察位置にあり、撮影レンズ１６で集光された被写体光束は、メインミラー２で反射され、ピント板９に結像され、ペンタプリズム１０を通過し、ファインダーレンズ１１，１２を通して撮影者がファインダーで被写体像を観察可能な状態にある。また、撮影レンズ１６を通った被写体の光束の一部はメインミラー２を透過し、サブミラー３で反射されて、ＡＦユニット４にも到達している。
【００３４】
また、シャッタ５においては、不図示のチャージ機構によりチャージレバー５２がチャージされ、先幕駆動レバー５３、後幕駆動レバー６１はそれぞれ図３に示す位置にある。そして、それぞれのアマチャー５４，６２はそれぞれ、ヨーク５７，６５に当接した状態にある。
【００３５】
このとき、先幕（先羽根群）１５０は図４に示す位置にあり、シャッタ地板５１のアパーチャー５１ａをふさぎ、余分な光線が撮像素子７に到達しない状態となっている。また、後幕（後羽根群）１６０は図４に示すとおり、シャッタ地板５１のアパーチャー５１ａをふさがない位置に保持されている。
【００３６】
次に、デジタルカメラ１は、現在のリアルタイムな画像をカメラ背面の背面表示装置４９に表示するモード（リアルタイム画像表示モード、以下ではライブビューとも呼ぶ）を撮影者が不図示のリアルタイム画像表示指示装置で指示しているかどうかを確認する（ステップＳ２）。
【００３７】
リアルタイム画像表示モード（ライブビュー）が指示されていない場合には、カメラは通常撮影状態となる（ステップＳ１６）。
【００３８】
通常撮影では、カメラのレリーズスイッチ４３の１段目のスイッチＳＷ１（レリーズスイッチ４３の半押しでＯＮされる）がＯＮされているかどうかを確認する（ステップＳ１６）
ＳＷ１がＯＮされていたら、ＡＥ（自動露出）、ＡＦ（オートフォーカス）が指示されていれば、デジタルカメラ１は測光センサー１４にて光量を測定しカメラの露出を決定する。また、ＡＦユニット４からの出力信号に基づいて、自動焦点調節（ＡＦ）も行なう（ステップＳ１７）。
【００３９】
ＡＥ、ＡＦが終了したならば、カメラはレリーズスイッチ４３の２段目のスイッチＳＷ２（レリーズスイッチ４３の全押しでＯＮされる）がＯＮされているかどうかを確認する（ステップＳ１８）。
【００４０】
ＳＷ２がＯＮしていたら、カメラはミラー２、サブミラー３を撮影レンズ１６の被写体光束から退避した位置にアップさせる（ステップＳ１９）。
【００４１】
ミラーがアップしたら、撮像素子７はカメラ制御部４７からの指示で撮像を開始する（ステップＳ２０）。
【００４２】
撮像素子７が撮像を開始したら、カメラ制御部４７はシャッタ制御部４６にシャッタの走行を指示する。まず、コイル５８の通電がＯＦＦされ、ヨーク５７で発生していた電磁力は消滅する。ヨーク５７とアマチャー５４との電磁的な吸引がなくなり、先幕駆動レバー５３は図示しないバネ力により右回転をする。すると、先幕駆動レバー５３と連動している先幕（先羽根群）１５０は、アパーチャー５１ａを覆っていた位置から、退避した位置へと移動する（ステップＳ２１）。
【００４３】
シャッタ制御部４６は所定の時間を計測し（ステップＳ２２）、後幕の走行開始を指示する。シャッタ制御部４６の指示で、コイル６６への通電がＯＦＦされ、ヨーク６５で発生していた電磁力は消滅する。ヨーク６５とアマチャー６２の電磁的な吸引がなくなり、後幕駆動レバー６１は図示しないバネ力により右回転をする。すると、後幕駆動レバー６１と連動している後幕（後羽根群）１６０は、アパーチャー５１ａから退避した位置から、覆う位置へと移動する（ステップＳ２３）。
【００４４】
この間に、撮像素子７に入射した光束は撮像素子７にて光電変換される。光電変換された信号は画像処理装置４１にて画像処理され、画像メモリー４２に一旦蓄積される。画像メモリー４２に蓄積された画像信号は外部メモリー４８へと記録される。
【００４５】
後幕（後羽根群）１６０の走行が終了したら、撮像素子７も撮像を終了する（ステップＳ２４）。
【００４６】
撮像が終了したら、カメラ制御部４７はミラー駆動部４５に指示を出し、撮影レンズ１６の撮影光束から退避した位置から、ファインダーへと撮影光束を反射し導く観察位置へとダウンする（ステップＳ２５）。
【００４７】
同時に、図示しないカメラのチャージ機構はシャッタ５のチャージレバー５２をチャージしてシャッタを待機位置へと移動させ、一連の撮影動作は終了する（ステップＳ２６）。
【００４８】
次に、ステップＳ２にて撮影者よりリアルタイム画像表示モード（ライブビュー）が指示された場合のデジタルカメラ１の動作を説明する。
【００４９】
ステップＳ２にてリアルタイム画像表示モードが指示されたら、まず、タイマーＴのカウントが開始され、リアルタイム画像表示のトータル時間の計測が開始される（ステップＳ３）。
【００５０】
次に、シャッタ５のコイル５８と６６に通電がなされる（ステップＳ４）。通電がなされると、ヨーク５７とアマチャー５４、ヨーク６５とアマチャー６２はそれぞれ互いに吸着される。
【００５１】
シャッタ５のコイル５８，６６への通電がされたら、図示しないシャッターのチャージ機構はシャッタ５のチャージレバー５２のチャージを終了し退避をする（ステップＳ５）。この状態が図３の状態である。
【００５２】
次に、メインミラー２、及びサブミラー３を撮影光束から退避させる（ステップＳ６）。
【００５３】
メインミラー２、及びサブミラー３が退避したら、シャッタ制御部４６からシャッターの先幕（先羽根）だけを走行させる指示がなされ、コイル５８への通電がカットされ、ヨーク５７で発生していた磁力はなくなり、アマチャー５４の吸着は解除される。それにより、図示しないバネの力で、先幕駆動レバー５３は右回転をして、先幕（先羽根群）１５０はシャッタ地板５１のアパーチャー５１ａを覆う位置から退避した位置へと移動する（ステップＳ７）。この状態が、図６、図７、図８の状態であり、シャッタとしてはいわゆるバルブ状態となり、後幕制御用のコイル６６に通電がされたままの状態となる。
【００５４】
コイル６６には通電がなされているので、コイル６６はどんどん発熱し、時間とともに高温となっていく。
【００５５】
この状態で、撮像素子７はレンズ１６で結像された被写体像を連続的に取り込みはじめる（ステップＳ８）。撮像素子７に連続的に入射した光は光電変換され、画像処理装置４１で画像処理が施され（ステップＳ９）、画像メモリー４２に蓄えられ、順次外部表示装置４９に連続的に表示される。つまりリアルタイム画像表示（ライブビュー）が行なわれる（ステップＳ１０）。
【００５６】
リアルタイム画像表示が始まってどれだけの時間がたったかをステップＳ１１で確認する。確認した結果一定時間がたっていなければ、リアルタイム画像表示を続ける。
【００５７】
ステップＳ１１でリアルタイム画像表示が一定時間を越えていると判断されたら、コイル６６の発熱が一定以上になっていると予想されるので、リアルタイム画像表示を中止する（ステップＳ１２）。
【００５８】
リアルタイム画像表示を中止したら、コイル６６への通電は中止し、ヨーク６５での電磁力はなくなり、ヨーク６５とアマチャ６２の吸着は中断される。すると、後幕駆動レバー６１は図示しないバネの力で左回転をし、後幕（後羽根群）１６０はアパーチャー５１ａから退避した位置からアパーチャー５１ａを覆う位置へと移動する（ステップＳ１３）。
【００５９】
次に、メインミラー２、及びサブミラー３も観察位置へと移動する（ステップＳ１４）。
【００６０】
シャッタも再度チャージされ（ステップＳ１５）、初期に戻る。
【００６１】
以上説明したように、本実施形態では、リアルタイム画像表示は一定時間で中断されるため、コイル６６への通電も一定時間で切られるので、撮像素子７に影響を与えるような（ノイズを発生させるような）発熱は避けることが可能となる。よって、リアルタイム画像表示でピント合わせをした後に、天体写真をとるようなことがあっても、撮像素子７の温度上昇は一定以下でおさえられ、点傷（スターノイズ）等が極端に増えることなく天体写真を撮影することが可能となる。
【００６２】
（第２の実施形態）
この第２の実施形態では、外面的なデジタルカメラの構成、及びシャッタの構成は図１〜図４、図６〜図８に示した第１の実施形態と同様であるのでその説明を省略する。本実施形態では、デジタルカメラの動作が第１の実施形態とは異なる。
【００６３】
図９は第２の実施形態のデジタルカメラの動作を示すフローチャートである。
【００６４】
図９における、ステップＳ１０１→ステップＳ１０２→ステップＳ１１６〜ステップＳ１２６の流れで示される通常撮影状態の動作は、第１の実施形態の図５におけるステップＳ１→ステップＳ２→ステップＳ１６〜ステップＳ２６の動作と同様であるので説明を省略する。
【００６５】
以下、ステップＳ１０２にて撮影者よりリアルタイム画像表示モード（ライブビュー）が指示された場合のデジタルカメラ１の動作を説明する。
【００６６】
ステップＳ１０２にてリアルタイム画像表示モードが指示されたら、まずシャッタ５のコイル５８と６６に通電がなされる（ステップＳ１０３）。通電がなされると、ヨーク５７とアマチャー５４、ヨーク６５とアマチャー６２はそれぞれ互いに吸着される。
【００６７】
シャッタ５のコイル５８，６６への通電がなされたら、図示しないシャッタのチャージ機構はシャッタ５のチャージレバー５２のチャージを終了し退避する（ステップＳ１０４）。この状態が図３の状態である。
【００６８】
次に、メインミラー２、及びサブミラー３を撮影光束から退避させる（ステップＳ１０５）。
【００６９】
メインミラー２、及びサブミラー３が退避したら、シャッタ制御部４６からシャッターの先幕（先羽根）だけを走行させる指示がなされ、コイル５８への通電がカットされ、ヨーク５７で発生していた磁力はなくなり、アマチャー５４の吸着は解除される。それにより、図示しないバネの力で、先幕駆動レバー５３は右回転をして、先幕（先羽根群）１５０はシャッタ地板５１のアパーチャー５１ａを覆う位置から退避した位置へと移動する（ステップＳ１０６）。この状態が、図６、図７、図８の状態であり、シャッタとしてはいわゆるバルブ状態となり、後幕制御用のコイル６６に通電がされたままの状態となる。
【００７０】
コイル６６には通電がなされているので、コイル６６はどんどん発熱し、時間とともに高温となっていく。
【００７１】
この状態で、撮像素子７はレンズ１６で結像された被写体像を連続的に取り込みはじめる（ステップＳ１０７）。撮像素子７に連続的に入射した光は光電変換され、画像処理装置４１で画像処理が施され（ステップＳ１０８）、画像メモリー４２に蓄えられ、順次外部表示装置４９に連続的に表示される。つまりリアルタイム画像表示（ライブビュー）が行なわれる（ステップＳ１０９）。
【００７２】
ここで、シャッタ５の温度ｔを測定する（ステップＳ１１０）。そして、温度ｔが一定の基準値を超えていないかどうかを確認する（ステップＳ１１１）。
【００７３】
ステップＳ１１１で温度ｔが一定の基準値を超えていなければ、リアルタイム画像表示を継続する。また、ステップＳ１１１で温度ｔが一定の基準値を越えていたら、リアルタイム画像表示を中止する（ステップＳ１１２）。
【００７４】
リアルタイム画像表示を中止したら、コイル６６への通電は中止し、ヨーク６５での電磁力はなくなり、ヨーク６５とアマチャ６２の吸着は中断される。すると、後幕駆動レバー６１は図示しないバネの力で左回転をし、後幕（後羽根群）１６０はアパーチャー５１ａから退避した位置からアパーチャー５１ａを覆う位置へと移動する（ステップＳ１１３）。
【００７５】
次に、メインミラー２、及びサブミラー３も観察位置へと移動する（ステップＳ１１４）
シャッタも再度チャージされ（ステップＳ１１５）、初期に戻る。
【００７６】
以上説明したように、本実施形態では、リアルタイム画像表示表示後にシャッタの温度ｔを検出し、その温度が基準値を超えたならばコイル６６への通電が切られるので、撮像素子７に影響を与えるような発熱は避けることが可能となる。よって、リアルタイム画像表示でピント合わせをした後に、天体写真をとるようなことがあっても、撮像素子７の温度上昇は一定以下でおさえられ、点傷（スターノイズ）等が極端に増えることなく天体写真を撮影することが可能となる。
【００７７】
（第３の実施形態）
この第３の実施形態では、外面的なデジタルカメラの構成、及びシャッタの構成は図１〜図４、図６〜図８に示した第１の実施形態と同様であるのでその説明を省略する。本実施形態では、デジタルカメラの動作が第１の実施形態とは異なる。
【００７８】
図１０は第３の実施形態のデジタルカメラの動作を示すフローチャートである。
【００７９】
図１０における、ステップＳ２０１→ステップＳ２０２→ステップＳ２１９〜ステップＳ２２９の流れで示される通常撮影状態の動作は、第１の実施形態の図５におけるステップＳ１→ステップＳ２→ステップＳ１６〜ステップＳ２６の動作と同様であるので説明を省略する。
【００８０】
以下、ステップＳ２０２にて撮影者よりリアルタイム画像表示モード（ライブビュー）が指示された場合のデジタルカメラ１の動作を説明する。
【００８１】
ステップＳ２０２にてリアルタイム画像表示モードが指示されたら、まずシャッタ５のコイル５８と６６に通電がなされる（ステップＳ２０３）。通電がなされると、ヨーク５７とアマチャー５４、ヨーク６５とアマチャー６２はそれぞれ互いに吸着される。
【００８２】
シャッタ５のコイル５８，６６への通電がなされたら、図示しないシャッタのチャージ機構はシャッタ５のチャージレバー５２のチャージを終了し退避する（ステップＳ２０４）。この状態が図３の状態である。
【００８３】
次に、メインミラー２、及びサブミラー３を撮影光束から退避させる（ステップＳ２０５）。
【００８４】
メインミラー２、及びサブミラー３が退避したら、シャッタ制御部４６からシャッターの先幕（先羽根）だけを走行させる指示がなされ、コイル５８への通電がカットされ、ヨーク５７で発生していた磁力はなくなり、アマチャー５４の吸着は解除される。それにより、図示しないバネの力で、先幕駆動レバー５３は右回転をして、先幕（先羽根群）１５０はシャッタ地板５１のアパーチャー５１ａを覆う位置から退避した位置へと移動する（ステップＳ２０６）。この状態が、図６、図７、図８の状態であり、シャッタとしてはいわゆるバルブ状態となり、後幕制御用のコイル６６に通電がされたままの状態となる。
【００８５】
コイル６６には通電がなされているので、コイル６６はどんどん発熱し、時間とともに高温となっていく。
【００８６】
この状態で、撮像素子７はレンズ１６で結像された被写体像を連続的に取り込みはじめる（ステップＳ２０７）。撮像素子７に連続的に入射した光は光電変換され、画像処理装置４１で画像処理が施され（ステップＳ２０８）、画像メモリー４２に蓄えられ、順次外部表示装置４９に連続的に表示される。つまりリアルタイム画像表示（ライブビュー）が行なわれる（ステップＳ２０９）。
【００８７】
このとき、シャッタ５あるいは撮像素子７の温度ｔを測定する（ステップＳ２１０）。そして、温度ｔが一定の基準値を超えていないかどうかを確認する（ステップＳ２１１）。
【００８８】
ステップＳ２１１で温度ｔが一定の基準値を超えていなければ、リアルタイム画像表示を継続する。また、ステップＳ２１１で温度ｔが一定の基準値を越えていたら、リアルタイム画像表示を中止する（ステップＳ２１２）。
【００８９】
リアルタイム画像表示を中止したら、コイル６６への通電は中止し、ヨーク６５での電磁力はなくなり、ヨーク６５とアマチャ６２の吸着は中断される。すると、後幕駆動レバー６１は図示しないバネの力で左回転をし、後幕（後羽根群）１６０はアパーチャー５１ａから退避した位置からアパーチャー５１ａを覆う位置へと移動する（ステップＳ２１３）。
【００９０】
次に、メインミラー２、及びサブミラー３も観察位置へと移動する（ステップＳ２１４）
シャッタも再度チャージされる（ステップＳ２１５）。
【００９１】
ここで、タイマーＴのカウントを開始する（ステップＳ２１６）。
【００９２】
タイマーＴが基準値を超えたかどうかを判断する（ステップＳ２１７）。
【００９３】
タイマーＴが基準値以下ならば、カメラの次の動作を受け付けない。また、タイマーＴが基準値を超えたら、カメラはイニシャルに戻り、再度カメラの状態の判定に戻る（ステップＳ２０２）。
【００９４】
以上説明したように、本実施形態では、シャッタあるいは撮像素子の温度を検出し、その温度が基準値以上ならば、リアルタイム画像表示を中止する。また、リアルタイム画像表示を中止した後も、シャッタあるいは撮像素子の温度が下がるまで、カメラの動作を一定時間禁止するので、撮像素子７に影響を与えたまま、撮影動作を続けることは不可能となる。よって、リアルタイム画像表示でピント合わせをした後に、天体写真をとるようなことがあっても、撮像素子７の温度上昇は一定以下でおさえられ、点傷（スターノイズ）等が極端に増えることなく天体写真を撮影することが可能となる。
【００９５】
（第４の実施形態）
この第４の実施形態では、外面的なデジタルカメラの構成、及びシャッタの構成は図１〜図４、図６〜図８に示した第１の実施形態と同様であるのでその説明を省略する。本実施形態では、デジタルカメラの動作が第１の実施形態とは異なる。
【００９６】
図１１は第４の実施形態のデジタルカメラの動作を示すフローチャートである。
【００９７】
図１１における、ステップＳ３０１→ステップＳ３０２→ステップＳ３１４〜ステップＳ３２４の流れで示される通常撮影状態の動作は、第１の実施形態の図５におけるステップＳ１→ステップＳ２→ステップＳ１６〜ステップＳ２６の動作と同様であるので説明を省略する。
【００９８】
以下、ステップＳ３０２にて撮影者よりリアルタイム画像表示モード（ライブビュー）が指示された場合のデジタルカメラ１の動作を説明する。
【００９９】
ステップＳ３０２にてリアルタイム画像表示モードが指示されたら、まずシャッタ５のコイル５８と６６に通電がなされる（ステップＳ３０３）。通電がなされると、ヨーク５７とアマチャー５４、ヨーク６５とアマチャー６２はそれぞれ互いに吸着される。
【０１００】
シャッタ５のコイル５８，６６への通電がなされたら、図示しないシャッタのチャージ機構はシャッタ５のチャージレバー５２のチャージを終了し退避する（ステップＳ３０４）。この状態が図３の状態である。
【０１０１】
次に、メインミラー２、及びサブミラー３を撮影光束から退避させる（ステップＳ３０５）。
【０１０２】
メインミラー２、及びサブミラー３が退避したら、シャッタ制御部４６からシャッターの先幕（先羽根）だけを走行させる指示がなされ、コイル５８への通電がカットされ、ヨーク５７で発生していた磁力はなくなり、アマチャー５４の吸着は解除される。それにより、図示しないバネの力で、先幕駆動レバー５３は右回転をして、先幕（先羽根群）１５０はシャッタ地板５１のアパーチャー５１ａを覆う位置から退避した位置へと移動する（ステップＳ３０６）。この状態が、図６、図７、図８の状態であり、シャッタとしてはいわゆるバルブ状態となり、後幕制御用のコイル６６に通電がされたままの状態となる。
【０１０３】
コイル６６には通電がなされているので、コイル６６はどんどん発熱し、時間とともに高温となっていく。
【０１０４】
この状態で、撮像素子７はレンズ１６で結像された被写体像を連続的に取り込みはじめる（ステップＳ３０７）。撮像素子７に連続的に入射した光は光電変換され、画像処理装置４１で画像処理が施され（ステップＳ３０８）、画像メモリー４２に蓄えられ、順次外部表示装置４９に連続的に表示される。つまりリアルタイム画像表示（ライブビュー）が行なわれる（ステップＳ３０９）。
【０１０５】
ここで、シャッタ５の温度ｔを測定する（ステップＳ３１０）。そして、温度ｔが一定の基準値を超えていないかどうかを確認する（ステップＳ３１１）。
【０１０６】
ステップＳ３１１で温度ｔが一定の基準値を超えていなければ、リアルタイム画像表示を継続する。また、ステップＳ３１１で温度ｔが一定の基準値を越えていたら、カメラは撮影者にシャッタの温度が上昇していることを知らせる警告を発する（ステップＳ３１２）。
【０１０７】
撮影者は通常、警告を見てデジタルカメラ１をイニシャル状態に戻す（ステップＳ３１３Ｎｏ）が、撮影者が警告を見たにもかかわらず、リアルタイム画像表示モードを選択し続けると、再び温度測定を行い、警告を発する。
【０１０８】
なお、上記の警告は、背面表示装置４９に表示するようにしてもよいし、音声、ＬＥＤなどによる表示を用いてもよい。
【０１０９】
以上説明したように、本実施形態では、リアルタイム画像表示モード中にシャッタの温度測定をして準値値を超えていたら、撮影者がリアルタイム画像表示モードを選択している限り警告を繰り返すので、撮影者は警告に気づき、撮像素子７が温度上昇に起因してノイズを増やし、失敗画像をとってしまうことを防止することができる。
【０１１０】
（第５の実施形態）
この第５の実施形態では、外面的なデジタルカメラの構成、及びシャッタの構成は図１〜図４、図６〜図８に示した第１の実施形態と同様であるのでその説明を省略する。本実施形態では、デジタルカメラの動作が第１の実施形態とは異なる。
【０１１１】
図１２は第４の実施形態のデジタルカメラの動作を示すフローチャートである。
【０１１２】
図１２における、ステップＳ４０１→ステップＳ４０２→ステップＳ４１４〜ステップＳ４２４の流れで示される通常撮影状態の動作は、第１の実施形態の図５におけるステップＳ１→ステップＳ２→ステップＳ１６〜ステップＳ２６の動作と同様であるので説明を省略する。
【０１１３】
以下、ステップＳ４０２にて撮影者よりリアルタイム画像表示モード（ライブビュー）が指示された場合のデジタルカメラ１の動作を説明する。
【０１１４】
ステップＳ４０２にてリアルタイム画像表示モードが指示されたら、まずシャッタ５のコイル５８と６６に通電がなされる（ステップＳ４０３）。通電がなされると、ヨーク５７とアマチャー５４、ヨーク６５とアマチャー６２はそれぞれ互いに吸着される。
【０１１５】
シャッタ５のコイル５８，６６への通電がなされたら、図示しないシャッタのチャージ機構はシャッタ５のチャージレバー５２のチャージを終了し退避する（ステップＳ４０４）。この状態が図３の状態である。
【０１１６】
次に、メインミラー２、及びサブミラー３を撮影光束から退避させる（ステップＳ４０５）。
【０１１７】
メインミラー２、及びサブミラー３が退避したら、シャッタ制御部４６からシャッターの先幕（先羽根）だけを走行させる指示がなされ、コイル５８への通電がカットされ、ヨーク５７で発生していた磁力はなくなり、アマチャー５４の吸着は解除される。それにより、図示しないバネの力で、先幕駆動レバー５３は右回転をして、先幕（先羽根群）１５０はシャッタ地板５１のアパーチャー５１ａを覆う位置から退避した位置へと移動する（ステップＳ４０６）。この状態が、図６、図７、図８の状態であり、シャッタとしてはいわゆるバルブ状態となり、後幕制御用のコイル６６に通電がされたままの状態となる。
【０１１８】
コイル６６には通電がなされているので、コイル６６はどんどん発熱し、時間とともに高温となっていく。
【０１１９】
この状態で、撮像素子７はレンズ１６で結像された被写体像を連続的に取り込みはじめる（ステップＳ４０７）。撮像素子７に連続的に入射した光は光電変換され、画像処理装置４１で画像処理が施され（ステップＳ４０８）、画像メモリー４２に蓄えられ、順次外部表示装置４９に連続的に表示される。つまりリアルタイム画像表示（ライブビュー）が行なわれる（ステップＳ４０９）。
【０１２０】
ここで、シャッタ５の温度ｔを測定する（ステップＳ４１０）。そして、温度ｔが一定の基準値を超えていないかどうかを確認する（ステップＳ４１１）。
【０１２１】
ステップＳ４１１で温度ｔが一定の基準値を超えていなければ、リアルタイム画像表示を継続する。また、ステップＳ４１１で温度ｔが一定の基準値を越えていたら、以降撮影を禁止する（ステップＳ４１２）。
【０１２２】
再度、温度ｔが基準値よりも下がったかを確認し（ステップＳ４１３）、基準値より下回らないと、デジタルカメラ１の撮影は禁止され続ける。
【０１２３】
ステップＳ４１３にて温度ｔが基準値よりも低くなったならば、カメラはイニシャル状態に戻る。
【０１２４】
以上説明したように、本実施形態では、リアルタイム画像表示中にシャッタの温度が基準値を超えたら撮影を禁止し、再度シャッタの温度が基準を下回らない限り撮影を禁止し続けるので、撮像素子７が温度上昇に起因してノイズを増やし、失敗画像をとってしまうことを防止することができる。
【０１２５】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯステップＳ）などが実際の処理の一部または全部を行い、その処理によって前述した実施形態の機能が実現される場合も含まれることは言うまでもない。
【０１２６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１２７】
本発明を上記記憶媒体に適用する場合、その記憶媒体には、先に説明したフローチャートに対応するプログラムコードが格納されることになる。
【図面の簡単な説明】
【０１２８】
【図１】本発明の第１の実施形態に係わるデジタルカメラ（デジタル一眼レフカメラ）の側断面図である。
【図２】第１の実施形態のデジタルカメラの回路ブロック図である。
【図３】第１の実施形態のデジタルカメラに用いられるシャッタの正面図である。
【図４】第１の実施形態のデジタルカメラのシャッタの羽根を示す図である。
【図５】第１の実施形態のデジタルカメラの動作を示すフローチャートである。
【図６】第１の実施形態のデジタルカメラのリアルタイム画像表示中の状態を示す側断面図である。
【図７】第１の実施形態のデジタルカメラのリアルタイム画像表示中のシャッタの状態を示す正面図である。
【図８】第１の実施形態のデジタルカメラのリアルタイム画像表示中のシャッタの羽根を示す図である。
【図９】第２の実施形態のデジタルカメラの動作を示すフローチャートである。
【図１０】第３の実施形態のデジタルカメラの動作を示すフローチャートである。
【図１１】第４の実施形態のデジタルカメラの動作を示すフローチャートである。
【図１２】第５の実施形態のデジタルカメラの動作を示すフローチャートである。
【符号の説明】
【０１２９】
１  デジタルカメラ（デジタル一眼レフカメラ）
２  メインミラー
３  サブミラー
４  ＡＦユニット
５  シャッタ
６  ローパスフィルター
７  撮像素子
８  回路基板
９  ピント板
１０  ペンタプリズム
１１，１２  ファインダーレンズ
１３  測光レンズ
１４  測光センサー
１５  マウント
１６  撮影レンズ
４１  画像処理回路
４２  画像メモリー
４３  レリーズスイッチ
４４  タイミング制御部
４５  ミラー駆動部
４６  シャッタ制御部
４７  カメラ制御部
４８  外部メモリー
５１  シャッタ地板
５２  チャージレバー
５３  先幕駆動レバー
５４  アマチャー
５５  アマチャー軸
５６  吸収ゴム
５７  ヨーク
５８  コイル
５９  ボビン
６１  後幕駆動レバー
６２  アマチャー
６３  アマチャー軸
６４  吸収ゴム
６５  ヨーク
６６  コイル
６７  ボビン
１０１  先幕アーム
１０２  先幕従動アーム
１０３，１０４，１０５，１０６  先羽根
１１１  後幕アーム
１１２  後幕従動アーム
１１３，１１４，１１５，１１６  後羽根
【図１】
2006033705.tif 000003
【図２】
2006033705.tif 000004
【図３】
2006033705.tif 000005
【図４】
2006033705.tif 000006
【図５】
2006033705.tif 000007
【図６】
2006033705.tif 000008
【図７】
2006033705.tif 000009
【図８】
2006033705.tif 000010
【図９】
2006033705.tif 000011
【図１０】
2006033705.tif 000012
【図１１】
2006033705.tif 000013
【図１２】
2006033705.tif 000014